(57)【要約】      （修正有）【課題】クリップの取り付け位置の高さが変えられる心電図電極を提供する。【解決手段】二つに折り曲げられる素材（１）を用いて電極を作成し、片方に心電図のクリップ電極が挟み込めるようにする。そして他方を粘着性導電ゲル（４）に接するようにする。この二つに折り曲げられた電極（２）を、粘着性導電ゲル（４）の表面をカバーした素材（３）で同じように覆い、通電性のある素材（１）がむき出しにならないようにする。そして体に貼り付けた後、折り曲げられた電極（２）を広げ、体表面より一定の高さにして、体表面を流れる消毒液がクリップ電極に触れないようにする。【選択図】図１
2019080627.tif 000002
【特許請求の範囲】
【請求項１】
必要に応じて皮膚からの高さが変えられるようにするための折り曲げられる電極を有した心電図電極
【発明の詳細な説明】
【技術分野】
【０００１】
この発明は、病院で患者さんが手術を受ける際に、その一般的な順番としてオペ室に入室するとほぼ同時に患者さんの生体情報を把握するため、心電図などの電極を張り、次に麻酔をかけ、続いて手術を開始するという手順となるが、その際に執刀する部位よりもかなり広い部分をイソジンなどの消毒液を使って消毒してから手術を行うという順序となる。そのため、体に貼り付けている心電図用の電極部分にも消毒液が垂れてしまうことが多く、その結果心電リード線のクリップ電極部分にも消毒液が付着してしまう。そのため繰り返し使われるリード線のクリップ電極部分に消毒液が薄い被膜となって付着してしまうため、心電図の通電性にも影響を及ぼしかねない状況が十分考えられる。この状況を回避するため、体に貼り付ける心電図測定用の電極の形状に工夫を凝らし、消毒液が心電リード線のクリップ電極部分に付きにくい形状とした心電図電極に関するものである。
【背景技術】
【０００２】
従来、病院で患者さんが手術を受ける際に、その一般的な順番としてオペ室に入室するとほぼ同時に患者さんの生体情報を把握するため、心電図などの電極を張り、次に麻酔をかけ、続いて手術を開始するという手順となるが、その際に執刀する部位よりもかなり広い部分をイソジンなどの消毒液を使って消毒してから手術を行うという順序となるが、その際に体に貼り付けている心電図用の電極部分にも消毒液が垂れてしまい、結果的に心電リード線のクリップ電極部分にも消毒液が付着してしまい、消毒液が薄い被膜となって心電図の通電性にも影響を及ぼしかねない状況が十分考えられる。このような状況にも関わらず、体に貼り付ける心電図測定の電極の形状に工夫を凝らし、心電リード線のクリップ電極部分に消毒液が付着しにくくするような形状の心電図電極はなかった。
【先行技術文献】
【特許文献】
【０００３】
【特許文献１】特開２０１１‐６２３７５（P２０１１‐６２３７５A）
【発明の概要】
【発明が解決しようとする課題】
【０００４】
これは次のような欠点があった。
心電図の測定に用いられる心電図電極の一般的な形状のものは、心電図を測定するための粘着性導電ゲル、そこに接する生体電気信号を検出するための電極と、その電極の先端の部分を除くそれ以外の粘着性導電ゲルの表面をカバーで覆い、その形状を安定させており、未使用の際には、患者さんに貼り付ける側の粘着性導電ゲルの面を剥離シートで覆い、その心電図電極を使用する際には、その剥離シートを剥がして患者さんの胸部に貼り付け、心電図を測定するための電極として使用する。このような形状の心電図電極に、心電リード線のクリップ電極を取り付けるための電極の高さは、一般的に皮膚からのその高さが５ミリメートル程度と極めて低く、イソジンなどの消毒液が電極の表面を伝って流れてきてしまうことも多く、そのため心電図測定用のリード線のクリップ電極部分にも消毒液が付着してしまう結果となる。そして繰り返し使われる心電リード線のクリップ電極部分に消毒液が薄い被膜となって付着してしまい、通電性にも影響を及ぼしかねない状況が十分考えられる。相反する内容ではあるが、この電極の高さを高いものにした場合、その高さが突起状の出っ張りとなって、手術器具の操作性の妨げともなりかねない。
本発明は、以上のような欠点をなくすためになされたものである。
【課題を解決するための手段】
【０００５】
心電図測定用のクリップ電極部分に消毒液が付着してしまうことが無いようにするため、心電図電極のクリップ電極の取り付け位置の高さが変えられるようにする。
具体的には、二つに折り曲げられる柔軟性を持った金属などの通電性のある素材を用いて電極を作成し、その電極の片方に心電図のクリップ電極が挟に込めるようにする。そしてもう片方を粘着性導電ゲルに接するようにして、心電図が測定出来るように通電性を確保する。この二つに折り曲げた電極を、粘着性導電ゲルの表面をカバーした素材などを使って同じように覆い、通電性のある素材がむき出しにならないようにする。そしてその電極を体に貼り付けた後、イソジンなどの消毒液を使って消毒をする前に二つ折にされた電極を広げ、体表面より一定の高さを出して、体表面を伝って流れてくる消毒液がクリップ電極に触れることなく流れ落ちるようにして、たとえ消毒中の状況であっても心電図の測定が途絶えることなくより正確に行うことが可能となる。
このような形状にすることにより、心電リード線のクリップ電極部分に消毒液が付着してしまうことを回避することが可能となり、消毒液の付着による被膜の形成がなされる心配もなくなり、安定した心電図を測ることが可能となる。また消毒を終えた後は、再び折り曲げてその電極の高さを低いものとして使用することで、手術器具の操作性を妨げることがないようにすることも可能である。
本発明は、以上の構成よりなる消毒液が心電リード線のクリップ電極部分に付きにくい形状の心電図電極である。
【発明の効果】
【０００６】
二つ折にされた電極を広げ、体表面より一定の高さを出して、体表面を伝って流れてくる消毒液がクリップ電極に触れることなく流れ落ちるようにすることにより、心電リード線のクリップ電極部分に消毒液が付着してしまうことを回避することが可能となり、消毒液の付着による被膜の形成がなされる心配もなくなり、安定して心電図を図ることが可能となる。                                                                    
【図面の簡単な説明】
【０００７】
【図１】本発明の上部斜視図である。
【図２】本発明の側面説明図である。
【発明を実施するための形態】
【０００８】
以下、本発明を実施するための形態について説明する。
心電図測定用のクリップ電極部分に消毒液が付着してしまうことが無いようにするため、心電図電極のクリップ電極の取り付け位置の高さが変えられるようにする。
具体的には、二つに折り曲げられる柔軟性を持った金属などの通電性のある素材（１）を用いて電極を作成し、その電極の片方に心電図のクリップ電極が挟に込めるようにする。そしてもう片方を粘着性導電ゲル（４）に接するようにして、心電図が測定出来るように通電性を確保する。この二つに折り曲げられた電極（２）を、粘着性導電ゲル（４）の表面をカバーした素材（３）などを使って同じように覆い、通電性のある素材（１）がむき出しにならないようにする。そしてその電極を体に貼り付けた後、イソジンなどの消毒液を使って消毒をする前に二つに折り曲げられた電極（２）を広げ、体表面より一定の高さを出して、体表面を伝って流れてくる消毒液がクリップ電極に触れることなく流れ落ちるようにして、たとえ消毒中の状況であっても心電図の測定が途絶えることなくより正確に行うことが可能となる。
このような形状にすることにより、心電リード線のクリップ電極部分に消毒液が付着してしまうことを回避することが可能となり、消毒液の付着による被膜の形成がなされる心配もなくなり、安定した心電図を測ることが可能となる。また消毒を終えた後は、再び折り曲げてその電極の高さを低いものとして使用することで、手術器具の操作性を妨げることがないようにすることも可能である。
本発明は、以上のような構造である。                                                                    
【符号の説明】
【０００９】
（１）二つに折り曲げられる柔軟性を持った金属などの通電性のある素材
（２）二つに折り曲げられた電極
（３）表面をカバーする素材
（４）粘着性導電ゲル
【図１】
2019080627.tif 000003
【図２】
2019080627.tif 000004